(57)【要約】【課題】遠心分離部での気密性を向上した電気掃除機を提供する。【解決手段】風路形成体26を上壁部37に対して係止可能な係止部111の１つを吸込口84と反対側に設ける。蓋体を閉じて上壁部37との間で風路形成体26の突出管部85を挟持して接続開口と吸込口84とを連通させた状態で、風路形成体26の吸込口84と反対側の位置が上壁部37から離間することを防止でき、風路形成体26と上壁部37との間に区画する遠心分離部31での気密性を向上できる。【選択図】図１
2008161365.tif 000002
【特許請求の範囲】
【請求項１】
電動送風機を収容した本体ケースと、
この本体ケースに着脱可能な集塵装置と、
本体吸込口を備え、前記本体ケースに対して開閉可能な蓋体とを具備し、
前記集塵装置は、
空気とともに吸い込んだ塵埃を旋回させて、塵埃を空気から遠心分離する遠心分離部と、
この遠心分離部の下流側に位置し、この遠心分離部にて分離された塵埃を捕集する集塵部と、
これら遠心分離部と集塵部との間に位置する隔壁部と、
前記隔壁部の上流側に着脱可能で、この隔壁部の上流側に取り付けた状態でこの隔壁部との間に前記遠心分離部を区画する風路形成体と、
この風路形成体を前記隔壁部に対して係止可能な複数の係止部とを備え、
前記風路形成体は、吸込口を備え前記蓋体を閉じた状態で前記蓋体と前記隔壁部との間で挟持されて前記本体吸込口に前記吸込口が気密に接続される吸込口部を有し、
前記係止部は、少なくとも一つが前記吸込口と反対側に位置している
ことを特徴とした電気掃除機。
【発明の詳細な説明】
【技術分野】
【０００１】
本発明は、空気とともに吸い込んだ塵埃を旋回させて、塵埃を空気から遠心分離する遠心分離部を備えた電気掃除機に関する。
【背景技術】
【０００２】
従来、この種の電気掃除機は、電動送風機を収容した掃除機本体を備えている。この掃除機本体内には、電動送風機の吸込側に連通する集塵装置が配設され、この集塵装置は、内部に集塵部を区画するカップ状の本体部の上部に、塵埃分離部を設けて構成されている。この塵埃分離部は、空気とともに塵埃を吸い込む吸込口を前部に備え、この吸込口に連続して平面視略円形状の遠心分離部が形成され、この遠心分離部の下流が集塵部へと連通している。そして、この集塵装置は、掃除機本体の下ケースと蓋体とで挟持され、この挟持により、蓋体に設けられた本体吸込口と集塵装置の吸込口とが気密に接続される（例えば、特許文献１参照。）。
【特許文献１】特開２００４−２６７６３６号公報（第４−５頁、図４）
【発明の開示】
【発明が解決しようとする課題】
【０００３】
上述のような遠心分離部は、内部にフィルタを設ける場合があり、このような場合には、フィルタのメンテナンス性などを考慮して、吸込口を前部に設けた風路形成体を本体部の上部に着脱可能に設けることがある。
【０００４】
しかしながら、このような風路形成体を設ける場合には、蓋体を閉じて集塵装置を挟持した状態で本体吸込口と吸込口とを気密に接続する際に風路形成体の前部が蓋体により押さえつけられ、風路形成体の後部が本体部に対して浮き、遠心分離部の気密性が低下するおそれがあるという問題点を有している。
【０００５】
本発明は、このような点に鑑みなされたもので、遠心分離部での気密性を向上した電気掃除機を提供することを目的とする。
【課題を解決するための手段】
【０００６】
本発明は、本体ケースに着脱可能な集塵装置と、本体吸込口を備え、本体ケースに対して開閉可能な蓋体とを具備し、集塵装置が、空気とともに吸い込んだ塵埃を旋回させて、塵埃を空気から遠心分離する遠心分離部と、この遠心分離部の下流側に位置し、この遠心分離部にて分離された塵埃を捕集する集塵部と、これら遠心分離部と集塵部との間に位置する隔壁部と、隔壁部の上流側に着脱可能で、この隔壁部の上流側に取り付けた状態でこの隔壁部との間に遠心分離部を区画する風路形成体と、この風路形成体を隔壁部に対して係止可能な複数の係止部とを備え、風路形成体が、吸込口を備え蓋体を閉じた状態で蓋体と隔壁部との間で挟持されて本体吸込口に吸込口が気密に接続される吸込口部を有し、係止部の少なくとも一つが吸込口と反対側に位置しているものである。
【発明の効果】
【０００７】
本発明によれば、風路形成体を隔壁部に対して係止可能な係止部の少なくとも一つを吸込口と反対側に設けることで、蓋体を閉じて隔壁部との間で吸込口部を挟持して本体吸込口と吸込口とを気密に接続した状態で、風路形成体の吸込口と反対側の位置が隔壁部から離間されることを防止でき、風路形成体と隔壁部との間に区画される遠心分離部での気密性を向上できる。
【発明を実施するための最良の形態】
【０００８】
以下、本発明の第１の実施の形態の構成を図１ないし図９を参照して説明する。
【０００９】
図５および図９において、１は掃除機本体で、この掃除機本体１は、電動送風機２を収容した本体ケース３と、この本体ケース３に後部が回動可能に軸支された上下方向に開閉可能な蓋体４と、電動送風機２の上流側に位置し本体ケース３に着脱可能な集塵装置としての集塵容器５とを備え、電動送風機２の駆動にて生じる吸込風とともに吸い込んだ塵埃を集塵容器５で遠心分離して集塵する、いわゆるサイクロン式の電気掃除機であり、被掃除面としての床面上を走行可能である。
【００１０】
本体ケース３には、電動送風機２の下方に、図示しない商用交流電源から電動送風機２などへと給電可能にする図示しない電源コードを巻回したコードリール７が収容されている。また、本体ケース３の前部には、皿状の載置部８が設けられている。この載置部８は、集塵容器５が着脱可能に載置され、蓋体４を閉じた際にこの蓋体４との間で集塵容器５を挟持固定可能な部分である。
【００１１】
蓋体４は、図２および図５に示すように、前部に管部11が設けられ、この管部11の先端部である前部が、空気を吸引するホース接続口12となり、管部11の基端部である後部が、載置部８に固定される集塵容器５の吸込側に連通する本体吸込口としての接続開口13となっている。また、管部11の下部には、蓋体４を閉じた際に集塵容器５と係合される係合爪11a，11aが突設されているとともに、これら係合爪11a，11aの前方に、突出爪11bが突設されている。
【００１２】
係合爪11a，11aは、付勢手段である図示しないばねなどにより、互いに離間される方向へと付勢されているとともに、管部11の両側部に設けられた蓋用クランプ14(一方のみ図示)の押し操作により付勢手段の付勢に抗して互いに接近する方向へと動作するように構成されている。
【００１３】
ホース接続口12には、図９に示すように、可撓性を有し湾曲可能な細長略円筒状の集塵ホース15の基端部が連通接続されている。この集塵ホース15の先端部には、電動送風機２の動作モードなどが選択可能な手元操作部16が設けられている。この手元操作部16には、作業者が把持する把持部17が突設され、この把持部17には、電動送風機２などを複数の動作モードに設定する複数の操作スイッチ18が設けられている。
【００１４】
また、手元操作部16の先端には、伸縮可能な細長略円筒状の延長管21が着脱可能に連通接続されている。さらに、この延長管21の先端には、例えば室内の床面の絨毯などの上に載置され、絨毯などの上の塵埃を吸い込む床ブラシである吸込口体22が着脱可能に連通接続されている。
【００１５】
一方、接続開口13の下流端面には、図２および図５に示すように、シール部材としてのＯリングである環状のパッキン23が取り付けられている。また、接続開口13の後方の蓋体４の下面には、下方へと開口した嵌合部24が設けられ、この嵌合部24には、嵌合凹部としての嵌合口部24a，24aが区画形成され、かつ、各嵌合口部24aの後部に、蓋体４の下面から略垂直に突出した押圧板部24bがそれぞれ形成されている。
【００１６】
嵌合口部24a，24aは、蓋体４を閉じた状態で集塵容器５の一部と嵌合して、この集塵容器５を下方へと押さえつけるもので、蓋体４の左右方向の中心線に対して互いに対称な位置に設けられている。
【００１７】
そして、集塵容器５は、図１、図３および図５に示すように、装置本体としての集塵容器本体25を備え、この集塵容器本体25の上部に平面視略円形状の風路形成体26が着脱可能に設けられ、集塵容器本体25の下部に集塵装置蓋部としての底蓋27が開閉可能に軸支されている。そして、集塵容器５には、集塵容器本体25と風路形成体26との間にサイクロン分離部である遠心分離部31が区画され、この遠心分離部31の下方(下流)でかつ集塵容器本体25内に、遠心分離部31で分離された塵埃の一部である粗塵を捕集する第１集塵部としての集塵部32と負圧室部33とが区画され、集塵部32の後方である下流側に、遠心分離部31で分離された塵埃の残りである細塵を捕集する第２集塵部としてのプリーツフィルタ部34が着脱可能に設けられ、かつ、このプリーツフィルタ部34の下方に、プリーツフィルタ部34から除去された細塵が収容される第３集塵部としての細塵集塵部35が形成されている。
【００１８】
集塵容器本体25は、集塵容器５の前部から両側部に亘る外郭を形成する壁部36と、この壁部36の上部を閉塞して傾斜状に連続する隔壁部としての傾斜壁部である上壁部37と、この上壁部37の下方にて壁部36の内部に連続して設けられた区画壁部としての隔壁38とを備えている。
【００１９】
壁部36の前部には、集塵容器５の把持用の把手部41が設けられている。また、壁部36の下端部は、集塵部32および細塵集塵部35の下部に連通し底蓋27により開閉可能な廃棄開口42となっている。この廃棄開口42は、集塵部32および細塵集塵部35に収容された塵埃を集塵容器５の外部へと廃棄可能とするものである。
【００２０】
把手部41の上部には、蓋体４を閉じた状態でこの蓋体４の係合爪11a，11aが挿入されて係止される開口部43と、蓋体４を閉じた状態でこの蓋体４の突出爪11bが挿入される挿入開口部44とがそれぞれ開口形成されている。また、把手部41の下端部には、集塵容器５を本体ケース３の載置部８の前部に設けられた凹部45に対して係合可能な爪部46が突出可能に設けられている。
【００２１】
開口部43には、底蓋27を開く際に操作されるボタン47が設けられている。
【００２２】
挿入開口部44は、開口部43の前方に位置しており、内部に係止ボタン48が設けられている。この係止ボタン48は、挿入開口部44に挿入された突出爪11bの先端部により押圧されることで爪部46を突出させて凹部45に係合させることにより、集塵容器５を本体ケース３に対して係止させるものである。
【００２３】
また、上壁部37は、遠心分離部31の底面を形成し、この遠心分離部31と集塵部32との間に位置するもので、前側に向けて下方へと傾斜して形成されている。また、この上壁部37には、図５ないし図７に示すように、風路形成体26の外形に沿って形成された平面視円形状の円形部51が形成され、この円形部51には、中央部に円形状の通気開口52が穿設されているとともに、この通気開口52の一側方に、集塵開口としての開口53が穿設され、かつ、通気開口52の他側方に、連通開口としての後端開口54が穿設されている。
【００２４】
通気開口52には、第１塵埃分離手段としての塵埃分離部56が設けられている。この塵埃分離部56は、截頭円筒状に形成された枠体57と、この枠体57の開口部57aに設けられた第１塵埃分離体としてのネットフィルタ58とを有している。そして、開口部57aと通気開口52とを介して、遠心分離部31と負圧室部33とが連通されている。
【００２５】
開口53は、遠心分離部31と負圧室部33とを連通するもので、上壁部37の傾斜下端近傍、すなわち遠心分離部31の上流端部に位置している。また、この開口53は、円形部51の通気開口52の前方から通気開口52の後方一側に亘って扇形状に形成されている。さらに、この開口53には、この開口53を格子状に区画する格子リブ61が形成されているとともに、第２塵埃分離体としてのネットフィルタ62が設けられている。
【００２６】
後端開口54は、遠心分離部31の下流側を集塵部32と連通し、上壁部37の傾斜最下端にて開口53の側方に位置し、遠心分離部31の下流端部を構成するものである。また、この後端開口54の後端部には、集塵部32側へと前方下部に傾斜した導入板64が延設されている。
【００２７】
そして、隔壁38は、上壁部37の下方に若干離間された位置から後方へと延設された延設部65を有し、この延設部65の後端部から第１連続壁部としての傾斜壁66が下方へと傾斜状に延設され、この傾斜壁66の下端部から第２連続壁部としての下壁部67が下方へと延設されている。
【００２８】
延設部65は、集塵部32と負圧室部33との間に位置し、開口53と後端開口54との前側の間の位置に連続し、後方に向けて下方に若干傾斜状に形成されている。
【００２９】
傾斜壁66は、集塵部32とプリーツフィルタ部34との間に位置するもので、プリーツフィルタ部34に対向するように傾斜状に形成され、集塵部32の下流側を、負圧室部33を介してプリーツフィルタ部34に連通する連通口としての開口71が格子状に多数開口形成され、これら開口71のそれぞれに第３塵埃分離体としてのネットフィルタ72が設けられている。
【００３０】
下壁部67は、集塵部32と細塵集塵部35との間に位置するもので、下端部が底蓋27に当接することで、集塵部32と細塵集塵部35とを区画している。また、この下壁部67の後方には、壁部36の内部の左右両側に亘って連続した長手状の下部後壁部74が設けられ、この下部後壁部74の上部には、プリーツフィルタ部34の下部を載置する載置段部75が水平状に設けられている。そして、この載置段部75と、壁部36の後端部両側、および、上壁部37の後端部により、横長の排気口81が区画されている。この排気口81は、負圧室部33の後部である下流側に連通するとともに、集塵容器５を本体ケース３に取り付けた状態で、電動送風機２の吸込側に連通する円形状の吸気口82に臨むように対向する。
【００３１】
下部後壁部74は、壁部36の内部の左右両側に亘って連続した長手状に形成されている。
【００３２】
一方、風路形成体26は、図１、図３および図５に示すように、略円形状の吸込口84を前端に形成する吸込口部としての略円形状の突出管部85が前端部に位置し、この突出管部85の後端部に、平面視で右回り方向に渦巻状に形成された風路区画部としての渦巻部86が連続して形成され、かつ、この渦巻部86の中央部に、平面視円形状の収容部としての収容突出部87が形成されている。
【００３３】
突出管部85は、集塵容器５を本体ケース３に取り付けた状態で蓋体４の管部11の下流側と気密に接続され、接続開口13を介してホース接続口12に連通する部分である。また、この突出管部85の上部には、突出部としての押圧突出部88が突設されている。
【００３４】
押圧突出部88は、例えば垂直上方へと突出した一対の係合凸部91，91間に亘って連続部92が形成されている。
【００３５】
係合凸部91，91は、蓋体４を閉じた状態でこの蓋体４の嵌合口部24a，24aに挿入されて、上端部が上側から上壁部37側へと押さえつけられる部分であり、平面視で略コ字状に形成されている。また、各係合凸部91の後部には、上方へ向けて前方へと傾斜した傾斜面91aが設けられている。
【００３６】
各傾斜面91aは、蓋体４を閉じた状態でこの蓋体４の押圧板部24bに当接することで風路形成体26を前方へと押圧する部分である。
【００３７】
渦巻部86は、断面が上側に突出した円弧状であり、上流側である突出管部85側に対して、下流側の上下寸法が徐々に小さくなり、かつ、この下流側の端部が突出管部85の下部に入り込むように形成されている。したがって、渦巻部86と集塵容器本体25との間に区画される風路としての周回風路部Ｗは、上流側の断面積が下流側の断面積よりも小さくなるように構成されている。また、この渦巻部86の周縁部には、複数、例えば３つの係止爪部94a，94b，94cが突設されている。なお、以下、これら係止爪部94a，94b，94cのいずれか、あるいは全体を係止爪部94とすることがある。
【００３８】
係止爪部94aは、渦巻部86の一側部に設けられ、係止爪部94bは、渦巻部86の他側部に設けられ、係止爪部94cは、渦巻部86の吸込口84と反対側の位置である後部に設けられており、これら係止爪部94a，94b，94cの配置は、左右方向の中心線に対して対称となっている。すなわち、係止爪部94a，94bと係止爪部94cとは、略等間隔に位置している。また、係止爪部94a，94b，94cは、渦巻部86の周方向に沿って円弧状に形成されており、嵌合溝部95に嵌合するとともに、上壁部37上に設けられた取付凹部96a，96b，96cにそれぞれ取り付けられた係止体97a，97b，97cにそれぞれ係合するように構成されている。なお、以下、これら取付凹部96a，96b，96cのいずれか、あるいは全体を取付凹部96、係止体97a，97b，97cのいずれか、あるいは全体を係止体97とすることがある。
【００３９】
嵌合溝部95は、上壁部37の円形部51の外周縁部に沿って溝状に形成されており、図３の想像線および実線に示すように、各係止爪部94が嵌合した状態で風路形成体26を周方向に回動させることで、各係止爪部94がこの嵌合溝部95に沿って周方向に摺動可能となっている。
【００４０】
取付凹部96aは、上壁部37の一側部に設けられ、取付凹部96bは、上壁部37の他側部に設けられ、取付凹部96cは、上壁部37の後部にそれぞれ設けられている。
【００４１】
そして、係止体97は、図４に示すように、係止爪部94の上側に位置してこの係止爪部94を係止する係止面部101を備えた本体板部102と、この本体板部102の一側部に設けられた側板部103と、本体板部102の他側部に設けられた回動規制部としての位置決め部である当接側板部104とを有し、係止体97a，97bには、本体板部102の周縁部にフランジ状の座板部105が突設されている。
【００４２】
係止面部101は、風路形成体26の取付方向に対して略平行となるように形成され、上部には補強用のリブ107が設けられている。このリブ107は、係止面部101の風路形成体26側の端部に他部が沿うように連続して形成されている。
【００４３】
本体板部102は、係止面部101側からその反対側に亘って下方へと湾曲するように形成されており、係止体97を螺子などの係止手段により取付凹部96に係止するための螺子孔108が穿設されている。この螺子孔108は、例えば係止体97aでは、取付凹部96aに取り付けた状態で後側となる当接側板部104側の位置に設けられ、係止体97bでは、本体板部102の略中央部に設けられている。
【００４４】
側板部103は、係止面部101と本体板部102との連続部近傍の下部から本体板部102の一側部を覆うように設けられている。このため、側板部103は、風路形成体26に対して離間されており、係止面部101の一側部の下方に、係止爪部94を挿入する摺動挿入開口109が形成されている。
【００４５】
当接側板部104は、係止面部101から本体板部102に亘って他側部を覆うように設けられている。このため、当接側板部104は、側板部103よりも風路形成体26側に接近しており、摺動挿入開口109から挿入された係止爪部94が内側面に当接することで、図３の想像線から実線に示すように風路形成体26を回動させた際のこの風路形成体26の回動を規制するものである。
【００４６】
座板部105は、係止体97a，97bを安定して取り付ける際の座部となるもので、例えば係止体97aでは、取付凹部96aに取り付けた状態で前側となる側板部103の前側から本体板部102の側部に亘って形成され、係止体97bでは、取付凹部95bに取り付けた状態で前側となる当接側板部104の前側から本体板部102の側部に亘って形成されている。そして、各係止体97a，97bの座板部105は、集塵容器本体25の壁部36の両側からフィン状に突設された突出板部110，110の上部に沿ってそれぞれ配置される。
【００４７】
そして、係止爪部94と係止体97とにより、係止部111がそれぞれ構成されている。
【００４８】
収容突出部87は、塵埃分離部56の枠体57の上端部が嵌合するように形成されている。
【００４９】
また、底蓋27は、前端部が集塵容器本体25の壁部36の両側部に回動可能に軸支されている。
【００５０】
プリーツフィルタ部34は、図５に示すように、第４塵埃分離体であるフィルタとしてのプリーツフィルタ体113と、このプリーツフィルタ体113を保持する図示しない枠体とを有し、排気口81を閉塞するように取り付けられる。
【００５１】
プリーツフィルタ体113は、上下方向に沿うプリーツ山部とプリーツ谷部とが掃除機本体１の左右方向に交互に連続するように形成されたもので、枠体から前方へと突出し、プリーツフィルタ部34を排気口81に取り付けた状態で前端下部が集塵容器本体25の載置段部75上に載置されるように構成されている。また、このプリーツフィルタ体113の後部には、除塵手段114が設けられている。
【００５２】
ここで、除塵手段114は、掃除機本体１の左右方向に往復移動可能に設けられた突起115を有し、この突起115がプリーツフィルタ体113のプリーツ山部に浅く係合し、左右に往復移動されることで突起115がプリーツ山部を乗り越えつつ移動することにより、プリーツフィルタ体113に振動を与えてプリーツフィルタ体113に付着した塵埃を細塵集塵部35へと落下させるように構成されている。
【００５３】
なお、突起115は、例えば電動送風機２の駆動を停止させた時に所定時間往復移動されるように制御される。
【００５４】
また、枠体は、プリーツフィルタ部34を排気口81に取り付けた状態で下端部が集塵容器本体25の載置段部75上に載置されるように構成されている。
【００５５】
次に、上記一実施の形態の動作を説明する。
【００５６】
まず、集塵容器５を組み立てる際には、集塵容器本体25の上部に風路形成体26を、図３の実線に示すように、平面視で突出管部85が前方(図３中の下方)に対して傾斜するようにした状態で係止爪部94b，94cのそれぞれを嵌合溝部95に嵌合させた後、図３の想像線に示すように、風路形成体26を周方向に回動させる。
【００５７】
すると、係止爪部94のそれぞれが係止体97の摺動挿入開口109から係止面部101の下方へと挿入されることで、風路形成体26が集塵容器本体25に係止されるとともに、係止爪部94が当接側板部104に当接することで風路形成体26の回動が規制される。
【００５８】
この状態で、蓋体４を上方に回動させて開け、風路形成体26を上壁部37上に取り付けるとともにプリーツフィルタ部34を排気口81に取り付けた集塵容器５を載置部８に載置することで、集塵容器５の排気口81およびこの排気口81に取り付けられたプリーツフィルタ部34が、電動送風機２の吸気口82に対向する。
【００５９】
さらに、この状態で蓋体４を下方に回動させ、この蓋体４と載置部８との間に集塵容器５を挟持する。
【００６０】
このとき、図５に示すように、蓋体４の嵌合部24の嵌合口部24a，24aに集塵容器５の風路形成体26上部の押圧突出部88の係合凸部91，91が挿入されて風路形成体26の突出管部85側が下方へ押圧されるとともに、嵌合部24の押圧板部24b，24bが係合凸部91，91の傾斜面91a，91aに当接して、風路形成体26とともに集塵容器５が前方へと押し付けられて、吸込口84がパッキン23に押し付けられることで、蓋体４の管部11の接続開口13に気密に接続される。
【００６１】
ここで、風路形成体26の前側である突出管部85側が下方に押された状態でも、風路形成体26の係止爪部94、特に係止爪部94cを、係止体97(係止体97c)の係止面部101が押さえることで、風路形成体26が集塵容器５の上壁部37に対して離間されるように浮くことを防止する。
【００６２】
また、同時に、蓋体４の係合爪11a，11aの先端部が集塵容器５の把手部41の開口部43の縁部に当接して付勢手段の付勢に抗しつつ互いに接近する方向へと移動した後、開口部43の縁部を乗り越えると付勢手段の付勢により復帰して、この開口部43の縁部に係合爪11a，11aが係合して蓋体４が集塵容器５と一体的に連結されるとともに、蓋体４の突出爪11bが係止ボタン48を押し下げつつ挿入開口部44に挿入され、爪部46が動作して凹部45に係合することで集塵容器５が本体ケース３に一体的に係止される。
【００６３】
次いで、ホース接続口12に、集塵ホース15、延長管21および吸込口体22を順次連通接続するとともに、本体ケース３から図示しない電源コードを導出して、商用交流電源に接続し、把持部17を把持した状態で所望の操作スイッチ18を操作して、電動送風機２を所望の動作モードで駆動させる。
【００６４】
この状態で、作業者は吸込口体22を床面上に接地して前後に走行させて、先端側から床面上の塵埃を空気とともに吸い込む。
【００６５】
吸い込まれた空気は吸込風となり、吸込口体22、延長管21、集塵ホース15、ホース接続口12および接続開口13を経由して、集塵容器５の吸込口84から遠心分離部31へと吸い込まれる。
【００６６】
この吸込風は、一部が開口53を負圧室部33へと直線状に通過し、この通過の際に、ネットフィルタ62に塵埃を捕集されるとともに、残りの部分が周回風路部Ｗ内を、塵埃分離部56の周囲に沿って円形状に流れる。
【００６７】
このとき、この吸込風の一部は、開口部57aを通過して負圧室部33へと流入し、この通過の際にネットフィルタ58により塵埃を捕集されるとともに、さらに残りの部分は、下流へ行くに従い周回風路部Ｗの断面積が狭くなることで下流端まで流速が確保され、後端開口54まで流れてこの後端開口54から集塵部32へと流入する。
【００６８】
この集塵部32へ流入した吸込風に含まれる塵埃のうち、比較的大きい粗塵は、そのまま集塵部32内へと落下して捕集され、比較的小さい細塵は、吸込風が開口71を通過して負圧室部33へと流入する際にネットフィルタ72により捕集される。
【００６９】
負圧室部33で合流した吸込風は、プリーツフィルタ部34のプリーツフィルタ体113を通過する際に、このプリーツフィルタ体113に、各ネットフィルタ58，62，72により捕集されなかった微細塵が捕集される。
【００７０】
プリーツフィルタ体113を通過した吸込風は、排気口81から集塵容器５の外部へと排気された後、吸気口82から電動送風機２へと吸い込まれ、この電動送風機２を通過して排気風となり、本体ケース３に穿設された図示しない排気孔を介して掃除機本体１の外部へと排気される。
【００７１】
掃除が終了し、作業者が操作スイッチ18を操作して電動送風機２の駆動を停止させると、プリーツフィルタ部34に取り付けられた除塵手段114の突起115が左右方向に往復移動することで、この突起115がプリーツフィルタ体113に付着した微細塵をこのプリーツフィルタ体113から細塵集塵部35へと落下させる。
【００７２】
この後、作業者は、蓋体４を上方へ回動させて開き、集塵容器５を本体ケース３から取り外した後、例えばごみ箱などの上でボタン47を押すことで底蓋27を開き、廃棄開口42から、集塵部32内の塵埃および細塵集塵部35内の塵埃を廃棄する。
【００７３】
また、風路形成体26を図３に示す想像線の状態から実線の状態へと回動させる、すなわち風路形成体26を集塵容器本体25に対して取り付ける動作と反対の動作をすることで、風路形成体26を集塵容器本体25から取り外し、各ネットフィルタ58，62などを図示しないブラシなどにより掃除して、これらネットフィルタ58，62に付着した塵埃を除去する。
【００７４】
そして、風路形成体26および底蓋27を元の状態に戻した後、再度本体ケース３に取り付けて使用する。
【００７５】
上述したように、上記一実施の形態によれば、風路形成体26を上壁部37に対して係止可能な係止部111の１つを吸込口84と反対側である後側に設けることで、蓋体４を閉じて上壁部37との間で風路形成体26の突出管部85を挟持して接続開口13と吸込口84とを、パッキン23を介して気密に接続した状態で、風路形成体26の吸込口84と反対側の位置が上壁部37から離間されることを防止でき、風路形成体26と上壁部37との間に区画される遠心分離部31での気密性を向上できる。
【００７６】
すなわち、風路形成体26を集塵容器本体25に確実に固定し、かつ、蓋体４を閉じた状態で吸込口84をパッキン23に密着させるために、風路形成体26の前側である突出管部85を蓋体４により押さえることで、左右の係止部111を軸として風路形成体26の後側が上側に回動しやすくなるので、この後側を係止部111により係止することで、風路形成体26の浮きを防止できる。
【００７７】
特に、係止部111を吸込口84と対向する後部である風路形成体26の左右方向の中心線上に設けることで、蓋体４を閉じた際の風路形成体26の浮きを、より確実に防止できる。
【００７８】
また、風路形成体26を各係止部111で左右方向に対称に支持することで、風路形成体26を集塵容器本体25に対して確実に保持できる。
【００７９】
さらに、遠心分離部31での気密性を向上することで、周回風路部Ｗでの塵埃の分離効率が向上するとともに、吸込風の損失を抑制でき、電気掃除機の吸込効率を向上できる。
【００８０】
なお、上記一実施の形態において、係止部111は、少なくとも吸込口84と反対側の位置であれば、例えば風路形成体26の後部の両側など、いずれの位置に設けられていてもよく、他の係止部111も、風路形成体26を固定可能な任意の位置に設けることができる。
【００８１】
また、係止体97の形状などは、風路形成体26を上側から集塵容器本体25に係止できれば任意に設定できる。
【００８２】
さらに、集塵容器５の細部は、上記構成に限定されるものではなく、例えば遠心分離部31に対して集塵部32が下流側に位置し、風路形成体26を隔壁部よりも上流側に取り付ける構成であれば、上下以外の配置としてもよい。
【００８３】
そして、電気掃除機の細部は、上記構成に限定されるものではなく、電気掃除機としては、キャニスタ型に限らず、例えば自走式(走行補助式)や自律走行式(ロボット式)の電気掃除機などでもよく、また、例えば吸込口体22が掃除機本体１の下面に直接形成されたアップライト型、あるいはハンディ型などであっても対応させて用いることができる。
【図面の簡単な説明】
【００８４】
【図１】本発明の一実施の形態の電気掃除機を示す縦断面図である。
【図２】同上電気掃除機の蓋体の一部を下側から示す斜視図である。
【図３】同上集塵装置の風路形成体を示す平面図である。
【図４】同上集塵装置の係止部の一部を示す斜視図である。
【図５】同上電気掃除機を示す縦断面図である。
【図６】同上集塵装置の一部を示す平面図である。
【図７】同上集塵装置の一部を前方から示す斜視図である。
【図８】同上電気掃除機の掃除機本体を示す斜視図である。
【図９】同上電気掃除機を示す斜視図である。
【符号の説明】
【００８５】
２    電動送風機
３    本体ケース
４    蓋体
５    集塵装置としての集塵容器
13    本体吸込口としての接続開口
26    風路形成体
31    遠心分離部
32    集塵部
37    隔壁部としての上壁部
84    吸込口
85    吸込口部としての突出管部
111   係止部
【図１】
2008161365.tif 000003
【図２】
2008161365.tif 000004
【図３】
2008161365.tif 000005
【図４】
2008161365.tif 000006
【図５】
2008161365.tif 000007
【図６】
2008161365.tif 000008
【図７】
2008161365.tif 000009
【図８】
2008161365.tif 000010
【図９】
2008161365.tif 000011